(57)【特許請求の範囲】
【請求項１】
撮像光学系を保持するためのレンズ鏡筒であって、
円周方向に並んで配置された少なくとも３つの第１案内溝を内周面または外周面に有する円筒状の第１支持枠と、
前記第１支持枠の内周側または外周側に設けられ、前記第１案内溝に挿入された少なくとも３つの第１ピンを有する円筒状の第２支持枠と、
前記第１および第２支持枠のうち一方を回転方向に駆動する駆動部と、
前記駆動部の動作を制御する制御部と、を備え、
前記第１案内溝は、前記撮像光学系の光軸に沿った方向における前記第１および第２支持枠全体の寸法が最短になる収納位置から前記撮像光学系の広角端に対応する広角位置まで前記第１および第２支持枠の相対位置を変化させる収納領域と、前記広角位置から前記撮像光学系の望遠端に対応する望遠位置まで前記第１および第２支持枠の相対位置を変化させる撮影領域と、を有しており、
前記広角位置は、少なくとも一部が前記撮影領域に含まれる領域であって前記第１支持枠に対して前記第２支持枠が前記光軸に沿った方向へ移動するように前記第１ピンを案内する傾斜領域に、設けられており、
前記収納領域は、前記回転方向に対して前記傾斜領域と同じ側に傾斜する第１領域を有しており、
前記回転方向に対する前記傾斜領域の傾斜角は、前記回転方向に対する前記第１領域の傾斜角よりも小さく、
前記撮影領域は、前記望遠位置を含み所望の光学性能の範囲内で前記撮像光学系の倍率を変化させるための使用可能領域と、前記広角位置と、前記広角位置および使用可能領域の間に設けられた駆動制限領域と、を有しており、
前記使用可能領域の前記駆動制限領域に隣接する領域は、前記回転方向に対して前記傾斜領域と反対側に傾斜しており、
前記制御部は、前記撮影領域の前記広角位置周辺領域であって前記広角位置の前記望遠位置側の領域に前記第１ピンが停止しないように、前記駆動部の駆動領域を制限する、
レンズ鏡筒。
【請求項２】
前記第１支持枠の内周側または外周側に設けられ前記回転方向に並んで配置された少なくとも３つの第２ピンを有する円筒状の第３支持枠をさらに備え、
前記第１支持枠は、前記回転方向に並んで配置され前記第２ピンが挿入される少なくとも３つの第２案内溝を有しており、
前記第１案内溝により案内される際に前記第１ピンが前記光軸に沿った方向に移動する第１最大寸法と、前記第２案内溝により案内される際に前記第２ピンが光軸に沿った方向に移動する第２最大寸法と、は略同一である、
請求項１に記載のレンズ鏡筒。
【請求項３】
前記撮像光学系と、
請求項１又は２に記載のレンズ鏡筒と、
前記撮像光学系により形成された光学像を画像信号に変換する撮像部と、
を備えたカメラ。
【発明の詳細な説明】
【技術分野】
【０００１】
本発明は、レンズ鏡筒、特に焦点距離を変更できるズームレンズ系を保持するためのレンズ鏡筒に関する。
【背景技術】
【０００２】
近年、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−ｏｘｉｄｅ  Ｓｅｍｉｃｏｎｄｕｃｔｏｒ）センサなどの撮像素子を用いて、光学像を電気信号に変換し、電気信号をデジタル化して記録するデジタルカメラが普及している。
デジタルカメラの分野においては、携帯性能の向上のため、本体の小型化が求められている。具体的には、本体の厚みを薄くするため、より小型のレンズ鏡筒が提案されている（例えば、特許文献１を参照）。
【特許文献１】特開２００５−１５７３０５号公報
【発明の開示】
【発明が解決しようとする課題】
【０００３】
しかしながら、特許文献１に記載のレンズ鏡筒では、カム溝の形状を工夫しているにも関わらず、それに応じたレンズ鏡筒の駆動方式が提案されていない。このため、撮像光学系の広角端および望遠端の間に所望の光学性能を満たさない領域が存在するにも関わらず、その領域を撮影時に使用する可能性がある。
本発明の課題は、所望の光学性能を確保しつつ小型化が可能なレンズ鏡筒を提供することにある。
【課題を解決するための手段】
【０００４】
第１の発明に係るレンズ鏡筒は、撮像光学系を保持するためのレンズ鏡筒であって、円筒状の第１支持枠と、円筒状の第２支持枠と、駆動部と、制御部と、を備えている。第１支持枠は、円周方向に並んで配置された少なくとも３つの第１案内溝を内周面または外周面に有している。第２支持枠は、第１支持枠の内周側または外周側に設けられ、第１案内溝に挿入された少なくとも３つの第１ピンを有している。駆動部は第１および第２支持枠のうち一方を回転方向に駆動する。制御部は駆動部の動作を制御する。第１案内溝は、収納領域と、撮影領域と、を有している。収納領域は、撮像光学系の光軸に沿った方向における第１および第２支持枠全体の寸法が最短になる収納位置から撮像光学系の広角端に対応する広角位置まで第１および第２支持枠の相対位置を変化させる。撮影領域は、略広角位置から撮像光学系の望遠端に対応する望遠位置まで第１および第２支持枠の相対位置を変化させる。広角位置は、傾斜領域に設けられている。傾斜領域は、少なくとも一部が撮影領域に含まれる領域であって、第１支持枠に対して第２支持枠が光軸に沿った方向へ移動するように第１ピンを案内する。収納領域は、上記の回転方向に対して傾斜領域と同じ側に傾斜する第１領域を有している。上記の回転方向に対する傾斜領域の傾斜角は、上記の回転方向に対する前記第１領域の傾斜角よりも小さい。撮影領域は、使用可能領域と、広角位置と、駆動制限領域と、を有している。使用可能領域は、望遠位置を含んでおり、所望の光学性能の範囲内で撮像光学系の倍率を変化させるための領域である。駆動制限領域は、広角位置および使用可能領域の間に設けられた領域である。使用可能領域の駆動制限領域に隣接する領域は、上記の回転方向に対して傾斜領域と反対側に傾斜している。制御部は、撮影領域の広角位置周辺領域であって広角位置の望遠位置側の領域に第１ピンが停止しないように、駆動部の駆動領域を制限する。
【０００５】
このレンズ鏡筒では、第１案内溝の広角位置周辺の領域に第１ピンが停止するのが制御部により制限されるため、広角位置周辺領域が撮影に使用されるのを防止できる。このため、撮影領域の広角位置周辺が撮像光学系の光学性能を満たさない形状であっても、撮影領域の広角位置周辺の形状が光学設計の制限を受けない。このため、例えば、撮影領域の広角位置周辺の形状を光学設計とは無関係に緩やかに湾曲させることができ、第１案内溝の光軸に沿った方向の寸法を短縮することができる。これにより、このレンズ鏡筒では、第１支持枠の寸法を短縮することができ、全体として小型化が可能である。
【０００６】
第２の発明に係るレンズ鏡筒は、第１の発明に係るレンズ鏡筒において、第３支持枠をさらに備えている。第３支持枠は、第１支持枠の内周側または外周側に設けられ上記の回転方向に並んで配置された少なくとも３つの第２ピンを有している。第１支持枠は、上記の回転方向に並んで配置され第２ピンが挿入される少なくとも３つの第２案内溝を有している。第１案内溝により案内される際に第１ピンが光軸に沿った方向に移動する第１最大寸法と、第２案内溝により案内される際に第２ピンが光軸に沿った方向に移動する第２最大寸法と、は略同一である。
【０００７】
ここで、「第１案内溝により案内される際に第１ピンが光軸に沿った方向に移動する第１最大寸法と、第２案内溝により案内される際に第２ピンが光軸に沿った方向に移動する第２最大寸法と、は略同一である」とは、第１最大寸法と第２最大寸法とが同じ場合の他に、レンズ鏡筒が小型化できる範囲内において、第１最大寸法と第２最大寸法とが異なっている場合も含まれる。
【０００８】
第３の発明に係るカメラは、撮像光学系と、第１又は第２の発明に係るレンズ鏡筒と、撮像光学系により形成された光学像を画像信号に変換する撮像部と、を備えている。
このカメラでは、第１又は第２の発明に係るレンズ鏡筒を備えているため、所望の光学性能を確保しつつ小型化が可能である。
【発明の効果】
【０００９】
本発明に係るレンズ鏡筒およびカメラでは、上記の構成を有しているため、所望の光学性能を確保しつつ小型化が可能である。
【発明を実施するための最良の形態】
【００１０】
以下、本発明に係るレンズ鏡筒およびカメラについて、図面を参照しながら説明する。
〔１：デジタルカメラの概要〕
図１〜図２を用いて本発明の実施形態に係るデジタルカメラ１について説明する。図１および図２にデジタルカメラ１の概略斜視図を示す。図１はレンズ鏡筒３が撮影状態である場合を示している。
【００１１】
デジタルカメラ１は被写体の画像を取得するためのカメラである。デジタルカメラ１には、高倍率化および小型化のために、多段沈胴式のレンズ鏡筒３が搭載されている。デジタルカメラ１は、カム溝の形状および駆動制御に主な特徴を有している。これらの特徴については後述する。
なお、以下の説明では、デジタルカメラ１の６面を以下のように定義する。
【００１２】
デジタルカメラ１による撮影時に被写体側を向く面を前面、その反対側の面を背面とする。被写体の鉛直方向上下とデジタルカメラ１で撮像される長方形の像（一般には、アスペクト比（長辺対短辺の比）が３：２、４：３、１６：９など）の短辺方向上下とが一致するように撮影を行う場合に、鉛直方向上側（被写体像は下側）に向く面を上面、その反対側（被写体像は上側）の面を底面とする。さらに、被写体側から見て左側にくる面を左側面、その反対側の面を右側面とする。なお、以上の定義は、デジタルカメラ１の使用姿勢を限定するものではない。
【００１３】
以上の定義によれば、図１は、前面、上面および右側面を示す斜視図ということになる。
なお、デジタルカメラ１の６面だけでなく、デジタルカメラ１に配置される各構成部材の６面も同様に定義する。すなわち、デジタルカメラ１に配置された状態の各構成部材の６面に対して、上述の定義が適用される。
【００１４】
また、図１に示すように、撮像光学系Ｏ（後述）の光軸Ａに平行なＹ軸を有する３次元直交座標系を定義する。この定義によれば、光軸Ａに沿って背面側から前面側に向かう方向がＹ軸方向正側であり、光軸Ａに直交し右側面側から左側面側に向かう方向がＸ軸方向正側であり、Ｘ軸およびＹ軸に直交し底面側から上面側に向かう方向がＺ軸方向正側となる。
【００１５】
以下、それぞれの図面において、このＸＹＺ座標系を基準として説明を行う。すなわち、それぞれの図面におけるＸ軸方向正側、Ｙ軸方向正側、Ｚ軸方向正側は、それぞれ同じ方向を示している。
〔２：デジタルカメラの全体構成〕
図１および図２に示すように、デジタルカメラ１は主に、各ユニットを収容するカメラ本体２と、被写体の光学像を形成する撮像光学系Ｏと、撮像光学系Ｏを移動可能に保持するレンズ鏡筒３と、から構成されている。
【００１６】
撮像光学系Ｏは複数のレンズ群から構成されており、複数のレンズ群がＹ軸方向に並んだ状態で配置されている。レンズ鏡筒３は、多段沈胴式であり、カメラ本体２に支持されている。複数のレンズ群は、レンズ鏡筒３によりＹ軸方向に相対的に移動可能なように保持されている。レンズ鏡筒３の構成の詳細については後述する。
レンズ鏡筒３には、光学像に対して光電変換を行う撮像部としてのＣＣＤユニット２１が設けられている。カメラ本体２には、ＣＣＤユニット２１により取得された画像を記録する画像記録部１６が内蔵されている。カメラ本体２の背面には、ＣＣＤユニット２１により取得された画像を表示する液晶モニタ１５が設けられている。
【００１７】
カメラ本体２の上面には、撮影者が撮像動作などの操作を行えるように、レリーズボタン１１と、操作ダイアル１２と、電源スイッチ１３と、ズーム調節レバー１４と、が設けられている。レリーズボタン１１は撮影者が露光のタイミングを入力するためのボタンである。操作ダイアル１２は撮影者が撮影動作に関する各種設定を行うためのダイアルである。電源スイッチ１３は撮影者がデジタルカメラ１のＯＮおよびＯＦＦを操作するためのスイッチである。ズーム調節レバー１４は、撮影者がズーム倍率を調節するためのレバーであり、レリーズボタン１１を中心として所定の角度の範囲内で回転可能である。
【００１８】
なお、図１および図２は、デジタルカメラ１の主要な構成のみを示している。このため、前述の構成以外の構成がデジタルカメラ１に設けられていてもよい。
〔３：レンズ鏡筒の構成〕
図３を用いて、レンズ鏡筒３の全体構成ついて説明する。図３にレンズ鏡筒３の分解斜視図を示す。
【００１９】
図３に示すように、レンズ鏡筒３は主に、カメラ本体２に固定されるベースプレート３１と、ベースプレート３１に固定される駆動部としてのズームモータ３２と、各枠体をベースプレート３１との間に収容する固定枠３３と、ズームモータ３２の駆動力が入力される第１支持枠としての駆動枠３４と、固定枠３３によりＹ軸方向に移動可能に支持される直進枠３５と、から構成されている。ベースプレート３１にはＣＣＤユニット２１のＣＣＤ２２が取り付けられている。ズームモータ３２としては、例えばＤＣモータが挙げられる。
【００２０】
レンズ鏡筒３はさらに、第１レンズ群Ｇ１を保持する第２支持枠としての第１レンズ枠３６と、第２レンズ群Ｇ２を保持する第３支持枠としての第２レンズ枠３７と、第３レンズ群Ｇ３を保持する第３レンズ枠３８と、を備えている。第１レンズ群Ｇ１は、例えば全体として負のパワーを持つレンズ群であり、被写体からの光を取り込む。第２レンズ群Ｇ２は、例えば全体として正のパワーを持つレンズ群である。第３レンズ群Ｇ３は、例えば焦点を調節するための正のパワーを持つレンズ群である。第１レンズ群Ｇ１、第２レンズ群Ｇ２および第３レンズ群Ｇ３により撮像光学系Ｏが構成されている。
【００２１】
（３．１：固定枠）
固定枠３３は、駆動枠３４を案内するための部材であり、ベースプレート３１とともにレンズ鏡筒３の固定側の部材を構成している。固定枠３３はベースプレート３１にねじにより固定されている。固定枠３３は主に、主要部を構成する略筒状の固定枠本体３３ａと、固定枠本体３３ａに回転可能に支持される駆動ギア３３ｂと、から構成されている。
【００２２】
固定枠本体３３ａは、ベースプレート３１に固定されており、内周側に駆動枠３４が配置されている。駆動ギア３３ｂは、ズームモータ３２の駆動力を駆動枠３４に伝達するための部材であり、ズームモータ３２のギア（図示せず）と噛み合っている。固定枠本体３３ａの内周側には、駆動枠３４を案内するための３本のカム溝３３ｃと、直進枠３５を案内するための３本の直進溝３３ｄと、が形成されている。カム溝３３ｃは円周方向に概ね等ピッチで配置されている。直進溝３３ｄは、Ｙ軸方向に延びており、円周方向に概ね等ピッチで配置されている。
【００２３】
（３．２：駆動枠）
駆動枠３４は、第１レンズ枠３６および第２レンズ枠３７を案内するための部材であり、固定枠３３の内周側に配置されている。駆動枠３４は主に、固定枠本体３３ａの内周側に配置される略筒状の駆動枠本体３４ａから構成されている。
駆動枠本体３４ａの外周側にはカムフォロア部材としての３本のカムピン４３が設けられており、内周側には３本の第１カム溝３４ｃおよび３本の第２カム溝３４ｄが形成されている。第１カム溝３４ｃは第１レンズ枠３６を案内するための溝である。第２カム溝３４ｄは第２レンズ枠３７を案内するための溝である。３本のカムピン４３は、円周方向に概ね等ピッチで配置されており、固定枠３３の３本のカム溝３３ｃに係合している。すなわち、駆動枠３４はカムピン４３を介して固定枠３３に支持されている。
【００２４】
駆動枠本体３４ａの外周側にはギア部３４ｅが形成されている。ギア部３４ｅは固定枠３３の駆動ギア３３ｂと噛み合っている。これにより、ズームモータ３２の駆動力が駆動ギア３３ｂを介して駆動枠３４に伝達される。
駆動枠３４はズームモータ３２の駆動力により光軸Ａ回り（Ｒ１方向およびＲ２方向）に駆動される。例えば、沈胴状態から撮影状態に移行する場合は、ズームモータ３２により駆動枠３４はＲ１側に駆動される。この結果、固定枠３３のカム溝３３ｃに沿ってカムピン４３が移動し、駆動枠３４は固定枠３３に対してＹ軸方向正側に移動する。撮影状態から沈胴状態に移行する場合は、ズームモータ３２により駆動枠３４はＲ２側に駆動される。この結果、駆動枠３４は固定枠３３に対してＹ軸方向負側に移動する。
【００２５】
このように、カム溝３３ｃの形状に応じて、駆動枠３４は固定枠３３に対して回転しながらＹ軸方向に移動可能である。
（３．３：直進枠）
直進枠３５は、第１レンズ枠３６が固定枠３３に対して回転するのを防止するための部材であり、駆動枠３４の内周側に配置されている。直進枠３５は主に、筒状の直進枠本体３５ａと、直進枠本体３５ａの外周側に形成された３本の直進ピン３５ｂと、から構成されている。
【００２６】
直進ピン３５ｂは、駆動枠３４と干渉しないように直進枠本体３５ａのＹ軸方向負側に配置されており、固定枠３３の直進溝３３ｄに係合している。すなわち、直進枠３５は固定枠３３によりＹ軸方向に直進可能に支持されている。
また、直進枠本体３５ａの外周側には、バヨネット溝３５ｅが形成されている。バヨネット溝３５ｅには、駆動枠３４の内周側に形成されたバヨネット爪３４ｆ（図４参照）が係合している。これにより、直進枠３５は、駆動枠３４に対して回転可能かつＹ軸方向に一体で移動可能である。
【００２７】
すなわち、駆動枠３４が固定枠３３に対して回転すると、直進枠３５は、固定枠３３に対して回転することなく（駆動枠３４に対して回転しながら）、駆動枠３４とともにＹ軸方向へ移動する。
直進枠本体３５ａには、Ｙ軸方向に延びる３本の第１ガイド溝３５ｃおよび３本の第２ガイド溝３５ｄが形成されている。３本の第１ガイド溝３５ｃは円周方向に概ね等ピッチで配置されており、３本の第２ガイド溝３５ｄは円周方向に概ね等ピッチで配置されている。第１ガイド溝３５ｃには第１レンズ枠３６のカムピン３６ｂ（後述）が挿入されている。第２ガイド溝３５ｄには第２レンズ枠３７のカムピン３７ｂ（後述）が挿入されている。すなわち、第１レンズ枠３６および第２レンズ枠３７の固定枠３３に対する回転が、直進枠３５により規制されている。なお、第１ガイド溝３５ｃおよび第２ガイド溝３５ｄにより、第１レンズ枠３６および第２レンズ枠３７のＹ軸方向への移動は規制されていない。
【００２８】
（３．４：第１レンズ枠）
第１レンズ枠３６は、第１レンズ群Ｇ１をＹ軸方向に移動可能に保持するための部材であり、直進枠３５の内周側に配置されている。第１レンズ枠３６は主に、第１レンズ群Ｇ１を内部に収容する第１レンズ枠本体３６ａと、第１レンズ枠本体３６ａの外周側に設けられた３本のカムピン３６ｂと、から構成されている。カムピン３６ｂは、第１ガイド溝３５ｃを貫通した状態で、駆動枠３４の第１カム溝３４ｃに係合している。
【００２９】
駆動枠３４が固定枠３３に対して回転すると、第１ガイド溝３５ｃに沿ってカムピン３６ｂが移動する。このとき、カムピン３６ｂの回転方向の移動は、直進枠３５の第１ガイド溝３５ｃにより規制される。このため、第１カム溝３４ｃおよび第１ガイド溝３５ｃに沿ってカムピン３６ｂはＹ軸方向にのみ移動する。このように、第１レンズ枠３６は、固定枠３３に対して回転することなく、第１カム溝３４ｃの形状に応じて駆動枠３４に対してＹ軸方向に移動可能である。
【００３０】
（３．５：第２レンズ枠）
第２レンズ枠３７は、第２レンズ群Ｇ２をＹ軸方向に移動可能に保持するための部材であり、直進枠３５の内周側であって第１レンズ枠３６のＹ軸方向負側に配置されている。第２レンズ枠３７は主に、第２レンズ群Ｇ２を内部に収容する第２レンズ枠本体３７ａと、第２レンズ枠本体３７ａの外周側に設けられた３本のカムピン３７ｂと、から構成されている。カムピン３７ｂは、第２ガイド溝３５ｄを貫通した状態で、駆動枠３４の第２カム溝３４ｄに係合している。
【００３１】
駆動枠３４が固定枠３３に対して回転すると、第２ガイド溝３５ｄに沿ってカムピン３７ｂが移動する。このとき、カムピン３７ｂの回転方向の移動は、直進枠３５の第２ガイド溝３５ｄにより規制される。このため、第１レンズ枠３６の場合と同様に、第２カム溝３４ｄおよび第２ガイド溝３５ｄに沿ってカムピン３７ｂはＹ軸方向にのみ移動する。
このように、第２レンズ枠３７は、固定枠３３に対して回転することなく、第２カム溝３４ｄの形状に応じて駆動枠３４に対してＹ軸方向に移動可能である。
【００３２】
（３．６：第３レンズ枠）
第３レンズ枠３８は、第３レンズ群Ｇ３をＹ軸方向に移動可能に保持するための部材であり、ベースプレート３１のフォーカスシャフト３１ａ、３１ｂによりＹ軸方向に移動可能に支持されている。第３レンズ枠３８の駆動は、ベースプレート３１に固定されたフォーカスモータ３９により行われる。具体的には、フォーカスモータ３９のリードスクリュに螺合したナット（図示せず）に対して、第３レンズ枠３８はＹ軸方向正側にばね（図示せず）により押圧されている。従って、フォーカスモータ３９のリードスクリュが回転すると、第３レンズ枠３８はナットとともにベースプレート３１に対してＹ軸方向に移動する。フォーカスモータ３９は、例えばステッピングモータである。
【００３３】
以上の構成をまとめると、固定枠３３、駆動枠３４および直進枠３５を介して、ズームモータ３２により第１レンズ枠３６および第２レンズ枠３７は光軸Ａに沿った方向に移動可能である。フォーカスモータ３９により第３レンズ枠３８は光軸Ａに沿った方向に移動可能である。
したがって、これらの構成により、撮像光学系Ｏのズーム倍率およびフォーカスを調節可能な沈胴式のレンズ鏡筒３が実現される。
【００３４】
〔４：制御装置〕
デジタルカメラ１は、ズームモータ３２、フォーカスモータ３９およびＣＣＤユニット２１の動作を制御する制御部としての制御装置３０を有している。図４は制御装置３０のブロック図である。
図４に示すように、制御装置３０は、ズームモータ３２に接続された第１モータドライバ２２と、駆動枠３４の回転角度を検出するエンコーダ２３と、を有している。エンコーダ２３は、駆動枠３４の回転角度情報をマイコン２４に出力する。マイコン２４は、ＣＰＵ、ＲＡＭおよびＲＯＭを有しており、ＲＯＭに収納されたプログラムがＣＰＵに読み込まれることで、様々な機能を実現し得る。例えば、エンコーダ２３からの回転角度情報に基づいて、マイコン２４は、駆動枠３４の回転角度（絶対位置）を認識するとともに、第１モータドライバ２２に制御信号の生成を指示する。つまり、第１モータドライバ２２、エンコーダ２３およびマイコン２４により、ズームモータ３２のフィードバック制御が行われている。
【００３５】
さらに、制御装置３０は、フォーカスモータ３９に接続された第２モータドライバ２５と、第３レンズ枠１８によりＯＮ／ＯＦＦされる位置センサ２７と、を有している。第２モータドライバ２５は、マイコン２４からの指令に基づいてフォーカスモータ３９を駆動するための制御パルスを生成する。フォーカスモータ３９を駆動する際の制御パルス数をカウントすることにより、マイコン２４は第３レンズ群Ｇ３の位置を把握する。第２モータドライバ２５およびマイコン２４により、フォーカスモータ３９のオープンループ制御が行われている。
【００３６】
位置センサ２７は、第３レンズ枠１８が基準位置にあるか否かを検出するためのセンサであるとともに、レンズ鏡筒３が本体に収納されているか否かを検出するためのセンサも兼ねている。具体的には、レンズ鏡筒３が撮影状態から収納状態に移行する際、第３レンズ枠１８が駆動枠３４によりＹ軸方向負側に案内され、第３レンズ枠１８がナットと離れた位置で停止する。この位置で第３レンズ枠１８により位置センサ２７がＯＮになるため、位置センサ２７からの検出信号に基づいて、マイコン２４はレンズ鏡筒３が収納状態であるか否かを認識し得る。
【００３７】
マイコン２４は、コントラスト検出方式に基づいて焦点を検出するために、第２モータドライバ２５に制御パルスを生成するための指令を下す。例えば、いわゆる山登り方式のように、第３レンズ群Ｇ３を光軸Ａに沿った方向に移動させ、ＣＣＤユニット２１により第３レンズ群Ｇ３の各位置に対応する画像信号が取得される。これらの画像信号から第３レンズ群Ｇ３の位置に対するコントラスト情報がマイコン２４により取得され、合焦状態に対応する第３レンズ群Ｇ３の位置がマイコン２４により求められる。
【００３８】
第３レンズ群Ｇ３が合焦位置まで移動するように、マイコン２４は、第２モータドライバ２５にフォーカスモータ１９の制御パルス生成の指令を下す。第２モータドライバ２５により生成された制御パルスにより、所定角度だけフォーカスモータ３９が回転駆動され、第３レンズ群Ｇ３が合焦位置まで移動する。これにより、撮像光学系Ｏの焦点を自動的に調節することができる。
【００３９】
〔５：カム溝〕
（５．１：第１カム溝の形状）
図５〜図７を用いて、駆動枠３４の第１カム溝３４ｃおよび第２カム溝３４ｄについて説明する。図５は駆動枠３４の内周面の展開図である。図６は第１カム溝３４ｃの展開図である。図７は第１カム溝３４ｃの部分拡大図である。
【００４０】
レンズ鏡筒３は、デジタルカメラ１を使用しないときはカメラ本体２に収納された収納状態となり、撮影するときはカメラ本体２から繰り出された撮影状態となる。この撮影状態では、駆動枠３４がカメラ本体２から突出しており、さらに駆動枠３４から第１レンズ枠３６が突出している。このため、図５に示すように、第１レンズ枠３６を案内するための第１カム溝３４ｃは、収納状態から撮影状態に移行する際に使用される収納領域Ｂと、撮影時に使用される撮影領域Ｃと、を有している。収納領域Ｂおよび撮影領域Ｃは、第１カム溝３４ｃにより案内されるカムピン３６ｂの中心を基準としている。
【００４１】
レンズ鏡筒３がデジタルカメラ１のカメラ本体２に収納されている状態では、カムピン３６ｂが第１カム溝３４ｃの収納位置Ｄに位置している。レンズ鏡筒３がカメラ本体２から繰り出された撮影状態では、カムピン３６ｂは第１カム溝３４ｃの広角位置Ｗから望遠位置Ｔの間に位置している。広角位置Ｗは撮像光学系Ｏの広角端に対応している。望遠位置Ｔは撮像光学系Ｏの望遠端に対応している。
【００４２】
撮影領域Ｃは、さらに使用可能領域Ｃ１と、広角位置Ｗと、駆動制限領域Ｃ２と、を有している。使用可能領域Ｃ１は、所望の光学性能の範囲内で撮像光学系Ｏの倍率を変化させるための領域であり、望遠位置Ｔを含んでいる。駆動制限領域Ｃ２は、広角位置Ｗおよび使用可能領域Ｃ１の間に設けられた領域である。言い換えると、駆動制限領域Ｃ２は、撮影領域Ｃにおける広角位置Ｗ周辺の領域であり、広角位置Ｗの望遠位置Ｔ側の領域である。つまり、駆動制限領域Ｃ２には広角位置Ｗは含まれていない。
【００４３】
駆動制限領域Ｃ２では、後述のように駆動枠３４の駆動が制限されている。なお、この駆動制限領域Ｃ２に対応する駆動枠３４の回転角度は、例えば、駆動枠３４の最小回転角度よりも大きく設定されている。この最小回転角度は、ズームモータ３２および第１モータドライバ２２などの駆動系の仕様により決定される。
カムピン３６ｂの中心を基準に考えると、第１カム溝３４ｃは上記の領域に分けることができるが、第１カム溝３４ｃの形状を基準に考えると、さらに第１カム溝３４ｃは以下のような領域に分けることができる。
【００４４】
具体的には図６に示すように、第１カム溝３４ｃは、収納位置Ｄを含むように形成された第１領域Ｈ１と、広角位置Ｗを含むように形成された傾斜領域Ｅと、望遠位置Ｔを含むように形成された第２領域Ｆ１と、領域Ｈ１と傾斜領域Ｅとを接続する第１湾曲領域Ｈ２と、第２領域Ｆ１と傾斜領域Ｅとを接続する第２湾曲領域Ｆ２と、を有している。
第１領域Ｈ１は、レンズ鏡筒３が収納状態から撮影状態に移行する際に使用される領域であり、第１カム溝３４ｃにおいて収納領域Ｂに含まれる領域の大部分を占めている。第１領域Ｈ１が回転方向に対して傾斜しているため、第１レンズ枠３６に対して駆動枠３４が回転すると、第１領域Ｈ１に沿ってカムピン３６ｂが案内される。これにより、第１レンズ枠３６が駆動枠３４に対してＹ軸方向に移動する。
【００４５】
傾斜領域Ｅは、収納領域Ｂおよび撮影領域Ｃにまたがって形成された、ほぼ直線的な領域である。傾斜領域Ｅは、駆動枠３４に対して第１レンズ枠３６が光軸Ａに沿った方向へ移動するようにカムピン３６ｂを案内するための領域であり、回転方向に対して若干傾斜している。より詳細には、収納領域Ｂから撮影領域Ｃにかけてカムピン３６ｂをＹ軸方向正側（被写体側）に案内するように、傾斜領域Ｅは傾斜している。回転方向に対する傾斜領域Ｅの傾斜角αは例えば５度である。この傾斜角αは、第１領域Ｈ１の回転方向に対する傾斜角βよりも小さい。広角位置Ｗで停止したカムピン３６ｂは、第１カム溝３４ｃの傾斜領域Ｅにより、主にＹ軸方向に支持されているが、傾斜領域Ｅが回転方向に対して傾斜しているため、カムピン３６ｂは若干回転方向にも支持されている。
【００４６】
第２領域Ｆ１は、撮像光学系Ｏの焦点距離を変化させる際に使用される領域であり、第１カム溝３４ｃにおいて撮影領域Ｃに含まれる領域の大部分を占めている。第２領域Ｆ１の形状は、撮像光学系Ｏが所望の光学性能を満たすように光学設計に基づいて決定されている。
第２領域Ｆ１は、使用可能領域Ｃ１を含んでおり、カムピン３６ｂの中心を基準に考えると、使用可能領域Ｃ１よりも広角位置Ｗ側に延びている。図５および図６に示すように、本実施形態では、第２領域Ｆ１は中央部がＹ軸方向負側に突出するように湾曲している。
【００４７】
第１湾曲領域Ｈ２は、第１領域Ｈ１と同様に収納領域Ｂに含まれる領域であり、第１領域Ｈ１と傾斜領域Ｅとを滑らかに接続している。このため、第１湾曲領域Ｈ２は概ね円弧状に湾曲している。
第２湾曲領域Ｆ２は、第２領域Ｆ１と同様に撮影領域Ｃに含まれる領域であり、傾斜領域Ｅと第２領域Ｆ１とを滑らかに接続している。このため、第２湾曲領域Ｆ２は概ね円弧状に湾曲している。第２湾曲領域Ｆ２は広角位置Ｗの望遠位置Ｔ側に配置されている。第２湾曲領域Ｆ２は、駆動制限領域Ｃ２に含まれている。第１湾曲領域Ｈ２、傾斜領域Ｅおよび第２湾曲領域Ｆ２により湾曲部Ｘが形成されている。
【００４８】
このように、第１カム溝３４ｃは、収納領域Ｂと撮影領域Ｃとの境界部分である広角位置Ｗ周辺部分（湾曲部Ｘ）が緩やかに湾曲している。
（５．２：従来のカム溝の形状との比較）
ここで、図８〜図１１を用いて、第１カム溝３４ｃの形状と従来のカム溝の形状との違いについて説明する。図８は従来のカム溝１３４ｃの展開図である。図９は第１カム溝３４ｃおよび従来のカム溝１３４ｃの展開図である。図１０はカム溝１３４ｃの部分拡大図である。図１１は第１カム溝３４ｃと従来のカム溝１３４ｃとの比較図である。
【００４９】
図８に示すように、従来のカム溝１３４ｃは、収納状態から撮影状態に移行する際に使用される収納領域Ｂ０と、撮影時に使用される撮影領域Ｃ０と、を有している。収納領域Ｂ０および撮影領域Ｃ０は、第１カム溝３４ｃにより案内されるカムピン１３６ｂの中心を基準としている。第１カム溝３４ｃと同様に、カム溝１３４ｃは、収納位置Ｄ０、広角位置Ｗ０および望遠位置Ｔ０を有している。収納位置Ｄ０、広角位置Ｗ０および望遠位置Ｔ０は、第１カム溝３４ｃの収納位置Ｄ、広角位置Ｗおよび望遠位置Ｔにそれぞれ対応している。
【００５０】
一般的に、レンズ鏡筒が収納状態から撮影状態に移行する際には、レンズ鏡筒は収納状態から繰り出され撮像光学系Ｏの広角端で停止する。光学設計上、カム溝１３４ｃの撮影領域Ｃ０はＹ軸方向負側に突出するように湾曲した形状となる。このため、図９および図１０に示すように、カム溝１３４ｃの広角位置Ｗ０周辺部分は、Ｒ２側へいくにしたがってＹ軸方向負側に傾斜している。この場合、収納領域Ｂ０の撮影領域Ｃ０側の端部は、小さく湾曲している。例えば図１０に示すように、カムピン１３６ｂの半径Ｒｆ、カムピン１３６ｂの中心の軌跡の半径Ｒｃおよび湾曲領域Ｆ０の半径Ｒｄの関係は、式（１）のようになる。
【００５１】
Ｒｃ＝Ｒｆ＋ｒｄ  ・・・（１）
したがって、カムピン１３６ｂは湾曲領域Ｆ０において焦点距離変更に必要な領域以外で光軸方向に動かざるを得ない。
ここで、図９に示すように、第１カム溝３４ｃにおける収納位置Ｄおよび望遠位置Ｔは、カム溝１３４ｃにおける収納位置Ｄ０および望遠位置Ｔ０と一致しているが、第１カム溝３４ｃにおける広角位置Ｗはカム溝１３４ｃにおける広角位置Ｗ０に対応していない。具体的には図１０に示すように、第１カム溝３４ｃにおける広角位置Ｗは、カム溝１３４ｃにおける広角位置Ｗ０よりも収納位置Ｄ側（Ｒ１側）に配置されている。
【００５２】
しかし、広角位置Ｗにおけるカムピン３６ｂのＹ軸方向の位置は、広角位置Ｗ０におけるカムピン１３６ｂのＹ軸方向の位置と同じである。このため、カムピン１３６ｂの軌跡に比べて、カムピン３６ｂの軌跡は駆動制限領域Ｃ２で緩やかなカーブを描いている。すなわち、駆動制限領域Ｃ２においては、撮像光学系Ｏの光学性能が確保されていないと言える。
【００５３】
一方、広角位置Ｗが広角位置Ｗ０よりも収納位置Ｄ側に配置されているため、第２湾曲領域Ｆ２が広角位置Ｗよりも望遠位置Ｔ側（Ｒ２側）に配置されている。この場合、カム溝１３４ｃに比べて、第１カム溝３４ｃでは第２湾曲領域Ｆ２が望遠位置Ｔ側に配置されている。この結果、図９および図１１に示すように、第１湾曲領域Ｈ２、傾斜領域Ｅおよび第２湾曲領域Ｆ２を含む湾曲部Ｘのカーブが、従来の湾曲部Ｘ０のカーブに比べて全体的に緩やかとなる。これにより、第１カム溝３４ｃのＹ軸方向の寸法がカム溝１３４ｃのＹ方向の寸法よりも長さＭだけ短くなり、従来に比べて、駆動枠３４のＹ軸方向の寸法を短縮することができる。すなわち、レンズ鏡筒３の小型化を図ることができる。
【００５４】
〔５：駆動制限領域〕
このデジタルカメラ１では、第１カム溝３４ｃが前述のような形状を有しているため、駆動枠３４のＹ軸方向の寸法を短縮することができる。
しかし、広角位置Ｗの望遠位置Ｔ側に第２湾曲領域Ｆ２が設けられているため、撮影領域Ｃ内に所望の光学性能を満たさない領域が存在する可能性がある。
【００５５】
そこで、このデジタルカメラ１では、第２湾曲領域Ｆ２が配置される駆動制限領域Ｃ２が使用されないように、制御装置３０によりズームモータ３２の駆動領域が制限されている。具体的には、図７に示すように、カムピン３６ｂが駆動制限領域Ｃ２内で停止しないように、ズームモータ３２の動作が制御装置３０のマイコン２４により制限されている。
例えば、カムピン３６ｂが広角位置Ｗに配置されている場合にズーム調節レバー１４が望遠側に操作されると、ズームモータ３２により駆動枠３４がＲ１側に駆動される。この結果、第１カム溝３４ｃに沿ってカムピン３６ｂがＲ２側へ移動し、カムピン３６ｂが第２湾曲領域Ｆ２によりＹ軸方向負側に案内される。このとき、エンコーダ２３を用いてマイコン２４により駆動枠３４の回転角度が監視されている。このため、ズーム調節レバー１４の操作量に基づく駆動枠３４の回転角度が駆動制限領域Ｃ２に対応する角度よりも小さい場合は、駆動枠３４の回転角度が駆動制限領域Ｃ２に対応する角度と同じになるように、マイコン２４により第１モータドライバ２２を介してズームモータ３２の駆動が制御される。このため、駆動制限領域Ｃ２内にカムピン３６ｂが停止するのを防止できる。
【００５６】
また例えば、カムピン３６ｂが使用可能領域Ｃ１内に配置されている場合、ズーム調節レバー１４が広角側に操作されると、ズームモータ３２により駆動枠３４がＲ２側に駆動される。この結果、第１カム溝３４ｃに沿ってカムピン３６ｂがＲ１側へ移動し、カムピン３６ｂが第２湾曲領域Ｆ２によりＹ軸方向正側に案内される。このとき、エンコーダ２３を用いてマイコン２４により駆動枠３４の回転角度が監視されている。このため、マイコン２４により、ズーム調節レバー１４の操作量に基づいて駆動枠３４を駆動すると、カムピン３６ｂが駆動制限領域Ｃ２内で停止すると判断された場合、カムピン３６ｂが広角位置Ｗで停止するようにマイコン２４により駆動枠３４の回転角度が決定される。マイコン２４からの指令に基づいて、第１モータドライバ２２によりズームモータ３２の駆動が制御され、駆動制限領域Ｃ２内にカムピン３６ｂが停止するのを防止できる。
【００５７】
このように、このデジタルカメラ１では、第１カム溝３４ｃの形状を前述のような形状にしても、所望の光学性能を満たしていない駆動制限領域Ｃ２が撮影時に使用されるのを防止でき、所望の光学性能を確保しつつ小型化を図ることができる。
〔６：デジタルカメラの動作〕
図１〜図７を用いて、デジタルカメラ１の動作について説明する。
【００５８】
（６．１：電源ＯＦＦ時の状態）
電源スイッチ１３がＯＦＦの状態では、レンズ鏡筒３がカメラ本体２のＹ軸方向の外形寸法内に収まるように、レンズ鏡筒３は格納状態（レンズ鏡筒３のＹ軸方向の寸法が最も短い状態）で停止している。レンズ鏡筒３の格納状態は、例えば位置センサ２７の検出信号に基づいて把握することができる。レンズ鏡筒３が収納状態では、カムピン３６ｂは第１カム溝３４ｃの収納位置Ｄに位置している。
【００５９】
（６．２：電源ＯＮ時の動作）
電源スイッチ１３がＯＮに切り換えられると、各部に電源が供給され、レンズ鏡筒３が格納状態から撮影状態に駆動される。具体的には、ズームモータ３２により駆動枠３４が固定枠３３に対して所定角度だけＲ１側に駆動される。電源投入時の撮影状態は、例えば、撮像光学系Ｏが広角端の状態（カムピン３６ｂが第１カム溝３４ｃの広角位置Ｗに位置する状態）に設定されている。ズームモータ３２により駆動枠３４が駆動されると、駆動枠３４は、固定枠３３に対して回転しながら、カム溝３３ｃの形状に応じて固定枠３３に対してＹ軸方向正側に移動する。
【００６０】
駆動枠３４が固定枠３３に対して回転および直進すると、第１レンズ枠３６および第２レンズ枠３７は、駆動枠３４とともに固定枠３３に対してＹ軸方向正側へ移動する。第１レンズ枠３６および第２レンズ枠３７は直進枠３５により固定枠３３に対する回転が規制されるため、第１レンズ枠３６および第２レンズ枠３７は、駆動枠３４とともにＹ軸方向正側へ移動しながら、第１カム溝３４ｃおよび第２カム溝３４ｄの形状に応じて、駆動枠３４に対してＹ軸方向へ移動する。具体的には図５に示すように、駆動枠３４が所定角度だけ回転駆動されると、カムピン３６ｂが第１カム溝３４ｃ内を収納位置Ｄから広角位置Ｗまで移動するとともに、カムピン３７ｂが第２カム溝３４ｄ内を収納位置Ｄ５から広角位置Ｗ５まで移動する。
【００６１】
駆動枠３４の回転が停止すると、カムピン３６ｂおよびカムピン３７ｂが広角位置Ｗおよび広角位置Ｗ５でそれぞれ停止し、第１レンズ枠３６および第２レンズ枠３７のＹ軸方向への移動も停止する。これにより、レンズ鏡筒３は撮影状態になる。
図７に示すように、回転方向に対して傾斜する傾斜領域Ｅに広角位置Ｗが配置されているため、カムピン３６ｂは傾斜領域Ｅにより主にＹ軸方向に支持されているが、傾斜領域Ｅにより若干回転方向にも支持されている。これにより、広角位置Ｗでの駆動枠３４に対する第１レンズ枠３６の位置が安定する。
【００６２】
（６．３：撮影時のズーム動作）
撮影状態でズーム調節レバー１４が望遠側に操作されると、ズーム調節レバー１４の回転角度および操作時間に応じて、ズームモータ３２により駆動枠３４が固定枠３３に対してＲ１側に駆動される。このとき、駆動枠３４のカムピン４３がカム溝３３ｃの回転方向に延びる部分により案内されるため、駆動枠３４が固定枠３３に対してＹ軸方向に移動することなく回転する。直進枠３５により第１レンズ枠３６および第２レンズ枠３７が固定枠３３に対して回転することなく駆動枠３４に対して回転する。この結果、第１レンズ枠３６および第２レンズ枠３７が駆動枠３４および固定枠３３に対してＹ軸方向に移動し、撮像光学系Ｏのズーム倍率が変化する。
【００６３】
撮像光学系Ｏはズーム光学系であるため、ズーム倍率の変化に伴い撮像光学系Ｏの撮影距離がずれないように、第３レンズ群Ｇ３の位置が自動的に調節される。具体的には、ズーム倍率に応じてフォーカスモータ３９により第３レンズ群Ｇ３が光軸Ａに沿った方向へ駆動される。
例えば、電源投入時の撮影状態では、撮影距離は無限遠に設定されているため、撮影距離が無限遠となるようにマイコン２４が第２モータドライバ２５に制御パルスの生成を指示する。ズーム倍率およびズーム倍率に対応する第３レンズ群Ｇ３の位置が光学設計により決定されており、マイコン２４には、そのデータテーブルが格納されている。マイコン２４は、ズーム調節レバー１４の操作量およびデータテーブルに基づいて、撮影距離が無限遠である第３レンズ群Ｇ３の位置を割り出し、割り出した位置まで第３レンズ群Ｇ３が移動するように第２モータドライバ２５に制御パルス生成の指令を下す。このように、第３レンズ群Ｇ３のトラッキング駆動が行われるため、ズーム倍率が変更されても、撮影距離が無限遠である状態が保持される。
【００６４】
また前述のように、このデジタルカメラ１では、広角位置Ｗの望遠位置Ｔ側に設けられた駆動制限領域Ｃ２にカムピン３６ｂが停止するのが制限されている。具体的には、ズーム調節レバー１４の操作量が駆動制限領域Ｃ２に対応する角度よりも小さい場合であっても、駆動制限領域Ｃ２にカムピン３６ｂが停止しないように、広角位置Ｗから駆動制限領域Ｃ２に対応する回転角度だけ駆動枠３４がＲ２側に回転駆動される。これにより、カムピン３６ｂが駆動制限領域Ｃ２に停止されるのを防止することができ、例えば第２湾曲領域Ｆ２が撮影時に使用されるのを確実に防止できる。
【００６５】
レリーズボタン１１が押されると、コントラスト検出方式に基づいてコントラスト情報がマイコン２４により取得され、合焦状態に対応する第３レンズ群Ｇ３の位置がマイコン２４により算出される。第３レンズ群Ｇ３が合焦位置まで移動するように、フォーカスモータ３９により第３レンズ枠３８が駆動される。その後、露光が行われ、ＣＣＤユニット２１により被写体の画像が取得される。
【００６６】
〔７：特徴〕
デジタルカメラ１およびレンズ鏡筒３の特徴は以下の通りである。
（１）
このレンズ鏡筒３では、マイコン２４により第１カム溝３４ｃの駆動制限領域Ｃ２（広角位置Ｗ周辺部分）にカムピン３６ｂが停止するのが制限されるため、駆動制限領域Ｃ２が撮像光学系Ｏの光学性能を満たさない形状であっても、駆動制限領域Ｃ２が撮影に使用されるのを防止できる。
【００６７】
言い換えると、広角位置Ｗの望遠位置Ｔ側であるにも関わらず、撮影領域Ｃの広角位置Ｗ周辺の形状が光学設計の制限を受けない。このため、例えば、撮影領域Ｃの広角位置Ｗ周辺の形状を光学設計とは無関係に緩やかに湾曲させることができ、光軸Ａに沿った方向における第１カム溝３４ｃの寸法を短縮することができる。これにより、このレンズ鏡筒３では、駆動枠３４の寸法を短縮することができ、全体として小型化が可能となる。
【００６８】
（２）
このレンズ鏡筒３では、傾斜領域Ｅに広角位置Ｗが設けられているため、光軸Ａに沿った方向および回転方向の両方の力がカムピン３６ｂに作用する。この結果、広角位置Ｗにおいて駆動枠３４および第１レンズ枠３６が停止している際に、駆動枠３４に対する第１レンズ枠３６の移動が規制されやすくなる。それに加えて、直進枠３５の第２ガイド溝３５ｄと第１カム溝３４ｃとによりカムピン３６ｂが挟み込まれた状態となる。これらの構成により、カムピン３６ｂと第１カム溝３４ｃとの間の微小な隙間によって静止状態で第１レンズ枠３６が駆動枠３４に対して移動するのを防止できる。すなわち、駆動枠３４および直進枠３５に対する第１レンズ枠３６の位置が安定する。
【００６９】
（３）
このレンズ鏡筒３では、回転方向に対する傾斜領域Ｅの傾斜角αは、回転方向に対する収納領域Ｂの第１領域Ｈ１の傾斜角βよりも小さいため、広角位置Ｗにおける撮像光学系Ｏの状態の安定化を図りつつ、光軸Ａに沿った方向における駆動枠３４の寸法を短縮することができる。
【００７０】
（４）
このレンズ鏡筒３では、第２湾曲領域Ｆ２が広角位置Ｗに対して望遠位置Ｔ側に配置されているため、収納領域Ｂに大きく湾曲する領域を設ける必要がない。これにより、回転方向に対する収納領域Ｂの傾斜角（より詳細には、第１領域Ｈ１の傾斜角β）を小さくすることができ、駆動枠３４の駆動時におけるズームモータ３２の負荷を低減できる。
【００７１】
また、第１領域Ｈ１の傾斜角βを変えない場合には、収納位置Ｄから広角位置Ｗまでの回転方向の距離が短くなり、駆動枠３４の回転角度を小さくすることができる。すなわち、ズームモータ３２の駆動時間が短くなる。
このように、このレンズ鏡筒３では、第２湾曲領域Ｆ２が広角位置Ｗに対して望遠位置Ｔ側に配置されているため、ズームモータ３２で消費される電力を低減できる。
【００７２】
（５）
このレンズ鏡筒３では、第１カム溝３４ｃの光軸Ａに沿った方向の寸法が第２カム溝３４ｄの光軸に沿った方向の寸法と概ね同一であるため、これらの第１カム溝３４ｃおよび第２カム溝３４ｄを有効利用しつつ、光軸Ａに沿った方向における駆動枠３４の寸法を短縮することができる。これにより、レンズ鏡筒３のさらなる小型化が可能となる。
【００７３】
ここで、「第１カム溝３４ｃの光軸Ａに沿った方向の寸法が第２カム溝３４ｄの光軸Ａに沿った方向の寸法と概ね同一である」とは、第１カム溝３４ｃの寸法と第２カム溝３４ｄの寸法とが同じ場合の他に、レンズ鏡筒３が小型化できる範囲内において、第１カム溝３４ｃの寸法と第２カム溝３４ｄの寸法とが異なっている場合も含まれる。
（６）
このように、このデジタルカメラ１では、レンズ鏡筒３を有しているため、所望の光学性能を確保しつつ小型化が可能となる。特に、光軸Ａに沿った方向が厚み方向と一致する場合は、デジタルカメラ１の薄型化が可能となる。
【００７４】
〔８：他の実施形態〕
本発明の具体的な構成は、前述の実施形態に限られるものではなく、発明の要旨を逸脱しない範囲で種々の変更および修正が可能である。
（１）
前述の実施形態では、第１カム溝３４ｃが駆動枠本体３４ａの内周面に設けられているが、外周面に設けられていてもよい。それに伴い、第１レンズ枠３６が駆動枠３４の外周側に配置されており、カムピン３６ｂが第１カム溝３４ｃに挿入されていてもよい。
【００７５】
（２）
前述の実施形態では、第１カム溝３４ｃが形成されている駆動枠３４がズームモータ３２により駆動されているが、カムピン３６ｂを有する第１レンズ枠３６がズームモータ３２により駆動されてもよい。
（３）
傾斜領域Ｅの傾斜角αは前述の実施形態に限定されない。
【産業上の利用可能性】
【００７６】
本発明に係るレンズ鏡筒およびカメラでは、所望の光学性能を確保しつつ小型化が可能となるため、本発明はカメラの分野において有用である。
【図面の簡単な説明】
【００７７】
【図１】デジタルカメラの斜視図
【図２】デジタルカメラの斜視図
【図３】レンズ鏡筒の分解斜視図
【図４】制御装置の概略構成図
【図５】駆動枠の第１および第２カム溝の展開図
【図６】第１カム溝の展開図
【図７】第１カム溝の部分拡大図
【図８】従来のカム溝の展開図
【図９】従来のカム溝と駆動枠の第１カム溝との比較図
【図１０】従来のカム溝の部分拡大図
【図１１】従来のカム溝と駆動枠の第１カム溝との比較図（部分拡大図）
【符号の説明】
【００７８】
１  デジタルカメラ（カメラ）
２  カメラ本体
３  レンズ鏡筒
２４  マイコン
３０  制御装置（制御部）
３２  ズームモータ（駆動部）
３４  駆動枠（第１支持枠）
３４ｃ  第１カム溝（第１案内溝）
３４ｄ  第２カム溝（第２案内溝）
３６  第１レンズ枠（第２支持枠）
３６ｂ  カムピン（第１ピン）
３７  第２レンズ枠（第３支持枠）
３７ｂ  カムピン（第２ピン）
Ｂ  収納領域
Ｃ  撮影領域
Ｄ  収納位置
Ｅ  傾斜領域
Ｆ１  使用可能領域
Ｆ２  第２湾曲領域（湾曲領域）
Ｈ１  領域
Ｈ２  第１湾曲領域
２１  ＣＣＤユニット（撮像部）
【図１】
0005020026.tif 000002
【図２】
0005020026.tif 000003
【図３】
0005020026.tif 000004
【図４】
0005020026.tif 000005
【図５】
0005020026.tif 000006
【図６】
0005020026.tif 000007
【図７】
0005020026.tif 000008
【図８】
0005020026.tif 000009
【図９】
0005020026.tif 000010
【図１０】
0005020026.tif 000011
【図１１】
0005020026.tif 000012